(57)【要約】【課題】大型の表示装置とその表示装置を支持する台座を備えた表示システムにおいて、台座の転倒を効果的に防止しつつ、台座のスペースを有効利用できるようにする。【解決手段】表示システムは、表示装置１０と、表示装置１０を支持する台座２０とを有している。また複数の電子機器（スキャナ装置４０，プリンタ３０、図示しない制御装置等）が台座２０に対して前方に引き出し可能に設置される。そして表示システムは、少なくとも１つの電子機器を前方に引き出したときには、少なくとも他の１つの電子機器を前方に引き出すことができないように規制する規制手段を備えている。【選択図】図１
2009036909.tif 000002
【特許請求の範囲】
【請求項１】
情報を表示する表示装置と、該表示装置を下方から支持する台座とを有し、電子機器を載置するための載置台を前記台座に備え、複数の電子機器を前記表示装置の下方に設けた表示システムであって、
前記表示装置の表示画面が視認できる面を該表示装置の前面とし、該表示画面が視認できる面に向かって手前側を前記表示システムの前側とするとき、
前記複数の電子機器は、前記表示装置の前面より前方に引き出し可能に設置され、
少なくとも１つの電子機器を前方に引き出したときには、少なくとも他の１つの電子機器を前方に引き出すことができないように規制する規制手段を備えることを特徴とする表示システム。
【請求項２】
請求項１に記載の表示システムにおいて、
前記複数の電子機器のうち、他の電子機器より重量の重い電子機器を前記他の電子機器より下方に設けることを特徴とする表示システム。
【請求項３】
請求項１に記載の前記表示システムにおいて、
前記電子機器は、原稿から画像を読み取って画像データを生成する画像読み取り装置と、
画像データに従って記録媒体に画像を形成する画像形成装置と、
前記表示装置の表示画面を制御する制御装置と、
を含むことを特徴とする表示システム。
【請求項４】
請求項３に記載の表示システムにおいて、
前記画像読み取り装置と前記画像形成装置は、前記台座に対してそれぞれ個別にスライド移動が可能に設置され、前記台座に収納された位置からそれぞれ個別に前方に引き出し可能であることを特徴とする表示システム。
【請求項５】
請求項３に記載の表示システムにおいて、
前記画像形成装置と前記制御装置は、一体的にスライド移動が可能に設置され、前記台座に収納された位置から一体的に前方に引き出し可能であることを特徴とする表示システム。
【請求項６】
請求項１に記載の表示システムにおいて、
前記台座は、前記表示システムの転倒を防止する転倒防止脚と、該載置台をスライド可能に支持する基台とを有し、前記転倒防止脚に前記載置台が備えられ、前記転倒防止脚を前記基台に収納された位置から前記前方にスライドさせて引き出し可能であって、
前記転倒防止脚は、前記基台に収納された位置では、該表示システムの前後方向で前記表示装置の前面と同じ位置、または前記前面よりも後側に位置し、前記転倒防止脚を前方に引き出した位置では、前記表示装置の前面より前方に前記転倒防止脚が突出することを特徴とする表示システム。
【請求項７】
請求項６に記載の表示システムにおいて、
前記転倒防止脚が前記基台に収納された状態、または前方にスライドさせて引き出した状態で、前記基台と前記転倒防止脚とを固定する固定手段を備えることを特徴とする表示システム。
【発明の詳細な説明】
【技術分野】
【０００１】
本発明は、表示システム、より詳細には、大型の表示装置とその下方に設置されたスキャナ装置とを備えた表示システムに関する。
【背景技術】
【０００２】
タッチペンのような入力手段を用いて大型表示装置上に自由な書式で情報を書き込むことを可能とし、書き込まれた情報を全て電子化することにより、文書管理、電子化情報の配布、電子化情報の加工などを簡単に実行できるようにした表示システムが提案されている。このような表示システムは、例えば電子会議システムに適用され、表示装置に資料を表示したり、表示装置に書き込まれた議事内容などを電子化する目的で用いられる。
【０００３】
このような大型の表示装置を備えた表示システムでは、システム全体が大型化するため、設置スペースを有効に使用できるようにコンパクトな構成が要求される。またこのときに、利用者の使い勝手を悪化させることがないように操作性を考慮しなくてはならない。またこのような表示装置を備えたシステムは、移動可能なキャスターを備えた台座（スタンド）などに設置されるため、転倒等の事故が生じないように、システムの安定性を維持できなくてはならない。
【０００４】
上記のような表示装置の省スペース化と安定性向上化の技術に関し、例えば特許文献１には、転倒を防止するとともにドアの開口部などの隘路を容易に通過できるようにすることを目的とした載置台及びディスプレイ装置が開示されている。特許文献１の載置台は、略直方体状の本体の下部に、複数方向に脚部が突出する支持部を形成したもので、本体の右前方に右前脚部が、本体の左前方に左前脚部が、本体の右後方に右後脚部が、本体の左後方に左後脚部がそれぞれ突出し、支持部の本体正面側は、本体の前面と上面視略同一形状となっている。
【特許文献１】特開２００４−１０４３６７号公報
【発明の開示】
【発明が解決しようとする課題】
【０００５】
上記のような移動可能なキャスターを備えた台座により支持した表示装置を移動させるときに、その表示装置が転倒する恐れがある。特に表示装置が高い位置で支持されているような構成では、表示装置の重心がより高くなり、移動時などに転倒する恐れが高くなる。例えば会議などに使用するための大型の表示装置を適用する場合には、より表示装置が大きくなり、また表示装置の支持位置も高くなるため、このような転倒の危険性は高くなるといえる。
【０００６】
特許文献１の載置台では、複数方向に突出する支持部を載置台に設けた構成が開示されている。しかしながら、特許文献１の載置台では、転倒防止用の特別な構成部品が必要となり、非常に高価な載置台になってしまう。
また一般的な大型ディスプレイの載置台は無駄なスペースが多く、スペースが有効に利用されていないという課題がある。
【０００７】
本発明は、上述のごとき実情に鑑みてなされたもので、大型の表示装置とその表示装置を支持する台座を備えた表示システムにおいて、台座の転倒を効果的に防止しつつ、台座のスペースを有効利用できるようにした表示システムを提供することを目的とする。
【課題を解決するための手段】
【０００８】
上記課題を解決するために、本発明の第１の技術手段は、情報を表示する表示装置と、表示装置を下方から支持する台座とを有し、電子機器を載置するための載置台を台座に備え、複数の電子機器を表示装置の下方に設けた表示システムであって、表示装置の表示画面が視認できる面を表示装置の前面とし、表示画面が視認できる面に向かって手前側を表示システムの前側とするとき、複数の電子機器は、表示装置の前面より前方に引き出し可能に設置され、少なくとも１つの電子機器を前方に引き出したときには、少なくとも他の１つの電子機器を前方に引き出すことができないように規制する規制手段を備えることを特徴としたものである。
【０００９】
第２の技術手段は、第１の技術手段において、複数の電子機器のうち、他の電子機器より重量の重い電子機器を他の電子機器より下方に設けることを特徴としたものである。
【００１０】
第３の技術手段は、第１の技術手段において、電子機器は、原稿から画像を読み取って画像データを生成する画像読み取り装置と、画像データに従って記録媒体に画像を形成する画像形成装置と、表示装置の表示画面を制御する制御装置と、を含むことを特徴としたものである。
【００１１】
第４の技術手段は、第３の技術手段において、画像読み取り装置と画像形成装置は、台座に対してそれぞれ個別にスライド移動が可能に設置され、台座に収納された位置からそれぞれ個別に前方に引き出し可能であることを特徴としたものである。
【００１２】
第５の技術手段は、第３の技術手段において、画像形成装置と制御装置は、一体的にスライド移動が可能に設置され、台座に収納された位置から一体的に前方に引き出し可能であることを特徴としたものである。
【００１３】
第６の技術手段は、第１の技術手段において、台座は、表示システムの転倒を防止する転倒防止脚と、載置台をスライド可能に支持する基台とを有し、転倒防止脚に載置台が備えられ、転倒防止脚を基台に収納された位置から前方にスライドさせて引き出し可能であって、転倒防止脚は、基台に収納された位置では、表示システムの前後方向で表示装置の前面と同じ位置、または前面よりも後側に位置し、転倒防止脚を前方に引き出した位置では、表示装置の前面より前方に転倒防止脚が突出することを特徴としたものである。
【００１４】
第７の技術手段は、第６の技術手段において、転倒防止脚が基台に収納された状態、または前方にスライドさせて引き出した状態で、基台と転倒防止脚とを固定する固定手段を備えることを特徴としたものである。
【発明の効果】
【００１５】
本発明によれば大型の表示装置とその表示装置を支持する台座を備えた表示システムにおいて、台座の転倒を効果的に防止しつつ、台座のスペースを有効利用できるようにした表示システムを提供することができる。
【００１６】
特に本発明では、少なくとも１つの電子機器を前方に引き出したときには、少なくとも他の１つの電子機器を前方に引き出すことができないように規制することにより、表示システムの加重バランスを安定させて転倒防止を図ることができる。
また重量の重い電子機器を下方に設けることで、表示システムの重心を下方に位置させることができ、表示システムの加重バランスを安定させて転倒防止を図ることができる。
【００１７】
さらに本発明では、引き出し可能な転倒防止脚を台座に設け、プリンタ等の電子機器を載置できる載置台を転倒防止脚に形成することにより、電子機器のメンテナンスが容易になる。また転倒防止脚の引き出し時には、電子機器が引き出し方向に移動するので、電子機器の重量が引き出し方向に配分され、台座に備えられた複数のキャスターの中央部分にシステム全体の重量が均等に配分されて加重安定性が向上し、効果的に転倒防止を図ることができる。
さらに本発明によれば、スキャナ、プリンタなどの電子機器によって安定化のための加重を兼用するため、無駄な加重を削減することができ、かつ台座（スタンド）の空きスペースを効率良く使用できるようになる。
【発明を実施するための最良の形態】
【００１８】
図１は、本発明による表示システムの一実施形態を示す図で、図２は、図１に示す表示システムにおいてプリンタやスキャナ装置などの電子機器を組み込んでいない状態を示す図である。
本実施形態の表示システムは、台座（スタンド）２０と、その台座２０に支持された表示装置１０と、台座２０に収納されたプリンタ３０及びスキャナ装置４０を備えている。またプリンタ３０の後方や表示装置１０の後方には、ＰＣ（パソコン）などの制御装置（コントローラ）を置くことができる。これらプリンタ３０、スキャナ装置４０、コントローラなどが表示システムに備えられる本発明の電子機器に相当する。
【００１９】
表示装置１０を支持する台座２０は、左右一対の脚部２１と、基台２２と、転倒防止脚２３とを備えている。転倒防止脚２３は、基台２２に対して前後にスライド可能に設置されていて、転倒防止脚の上面にプリンタ３０等の電子機器を置くための載置台２４が形成されている。この例では、転倒防止脚２３の載置台２４上にプリンタ３０が置かれている。プリンタ３０の後方には、コントローラが置かれる。ここでは、表示装置１０の表示画面が視認できる面を表示装置１０の前面側とする。そして表示画面に向かって手前側を本表示システムの前側とし、表示装置１０の背面側を本表示システムの後方とする。
【００２０】
基台２２の底部には、基台キャスター（移動用車輪）２８ａが設けられ、転倒防止脚２３の底部には転倒防止脚キャスター（移動用車輪）２８ｂが設けられている。これらにより表示システム全体が移動可能となっている。
【００２１】
またプリンタ３０の上方の脚部２１の内側空間には、スキャナ装置４０が取り付けられている。スキャナ装置４０は図示しないレール機構などにより、前方にスライドして引き出し可能に構成されている。また本実施形態のスキャナ装置４０は、その前面側に開口部４１，４２を備えている。この開口部４１，４２は、シート状の原稿を挿入するための挿入口と、画像を読み取った後の原稿を排出するための排出口とを構成している。挿入口にシート状の原稿を挿入することにより、スキャナ装置４０の給紙搬送機構によって原稿が搬送され、ＣＣＤセンサなどによる画像読み取り装置に送られる。そして画像読み取り装置によって画像が読み取られた原稿は、排出ローラにより搬送され、排出口から排出される。
【００２２】
このような構成により、利用者は、スキャナ装置４０を台座２０の脚部２１の間に収納したままの状態で、スキャナ装置４０の前面側からシート上の原稿の給紙と排出とを行うことができる。またブック原稿の画像読み取りや、トナーカートリッジの交換などのメンテナンスを行う場合には、スキャナ装置を前方に引き出してこれらの処理を行うことができる。
【００２３】
転倒防止脚２３は、上記のように基台２２に対して前後にスライド可能に取り付けられている。ここでは基台２２と転倒防止脚２３とを相互に固定しておくために、固定用留め板２５が使用されている。この固定用留め板２５の左右には、固定ピン２６を挿通するための貫通孔が設けられている。一方、転倒防止脚２３と基台２２には、それぞれ固定ピン２６を差し込むための固定用穴２７が設けられていて、固定用留め板２５の貫通孔を通してそれぞれの固定用穴２７に固定ピン２６を差し込むことにより、転倒防止脚２３と基台２２とが固定用留め板２５を介して相互に固定される。転倒防止脚２３側の固定用穴２７は、転倒防止脚２３を固定する位置に応じて予め複数設けられている。これら固定用留め板２５と固定ピン２６とが本発明の固定手段に該当する。
【００２４】
上記のような台座２０にスキャナ装置４０やプリンタ３０などの電子機器を収納することにより、常時使用するわけではないプリンタ３０やスキャナ装置４０を表示装置１０の下側に収納してくことができる。そしてこのような構成により、台座２０のスペースを有効に利用することができ、表示装置１０の前でプレゼンテーションや会議進行などを行う利用者は、これらの電子機器が邪魔にならずに表示システムを利用することができる。
【００２５】
また大型の表示装置１０を支持する台座２０の表示装置１０の下方にスキャナ装置４０やプリンタ３０などの電子機器を収納することにより、表示システムの重心を下方に位置させることができ、これにより表示システムの加重バランスを安定させて、表示システムの転倒防止を図ることができる。このときに、複数の電子機器のうち、他の電子機器より重量の重い電子機器を下方に設けるようにする。これにより、表示システムの重心を下方に位置させることができ、表示システムの加重バランスを安定させて転倒防止を図ることができる。
【００２６】
また転倒防止脚２３の引き出し時には、電子機器が引き出し方向に移動するので、電子機器の重量が引き出し方向に配分され、台座２０に備えられた複数のキャスター２８ａ，２８ｂの中央部分に表示システム全体の重量が均等に配分されて加重安定性が向上し、効果的に転倒防止を図ることができる。
【００２７】
図３は、台座に備えられた転倒防止脚の機能を説明するための図である。上記のように基台２２と転倒防止脚２３とを相互に固定しておくために、固定用留め板２５と固定ピン２６とが用いられている。この構成で転倒防止脚２３が基台２２の間に収納された状態（図３（Ａ）から、転倒防止脚２３を前方側に方側に引き出した状態（図３Ｂ））とすることにより、表示システムの転倒をより効果的に防止することができる。
【００２８】
ここでは、図３（Ａ）の状態で転倒防止脚２３側の固定ピン２６を固定用穴２７から引き抜き、転倒防止脚２３を前に引き出して図３（Ｂ）の状態とし、この位置で固定ピン２６を転倒防止脚２３のもう一方の固定用穴２７に差し込むことで転倒防止脚２３と基台２２とを相互に固定することができる。
転倒防止脚２３を前面側に引き出す場合、利用者は、転倒防止脚２３に設けられている解除レバー２３ａに手を掛けて引っ張ることにより転倒防止脚２３を引き出すことができる。なお転倒防止脚２３と基台２２とを相互に固定する構成は、上記固定ピン２６を用いた構成のみならず、適宜任意の固定構造を採用することができる。
【００２９】
図４は、本発明に係る表示システムの構成例を説明するためのブロック図である。
表示システムは、表示装置１０、プリンタ３０、スキャナ装置４０、及び制御装置（コントローラ）５０を備えている。
表示装置１０は、表示手段１１と、表示手段１１の前面側に設けられたタッチパネル１２とを備えている。表示手段１１としては、液晶ディスプレイ（Liquid Crystal Display）、プラズマディスプレイ（Plasma Display Panel）、電界放出ディスプレイ（Field Emission Display）、表面伝導型電子放出素子ディスプレイ（Surface-conduction Electron-emitter Display）、有機ＥＬディスプレイ（Organic Electroluminescence Display）等の薄型かつ大型の表示装置を適用することができる。
またタッチパネル１２は、利用者等によるタッチ位置の座標を検出して制御装置（コントローラ）５０に送る。
【００３０】
制御装置５０は、表示手段１１に表示させる表示画面を制御するもので、タッチパネル１２で検出されたタッチ位置の座標情報に従って、表示装置１０にさまざまな情報を表示させる。例えばタッチペンを使用してタッチパネル１２上に描かれた文字などの情報を表示手段１１に表示させる処理を行う。制御装置５０としては、例えばＰＣ（パソコン）が用いられる。
【００３１】
プリンタ３０は、表示手段１１に表示させた表示情報を印刷出力する。ここでは、表示手段１１に表示されている画像情報を制御装置５０の制御によってプリンタ３０に出力することで、プリンタ３０にて表示手段１１の表示情報を印刷出力させることができる。またプリンタ３０は、制御装置５０に接続されたスキャナ装置４０で取り込んだ画像データの印刷出力なども行うことができる。
【００３２】
スキャナ装置４０は、原稿画像を読み取って電子化するための装置であり、原稿画像を読み取ることで得られた画像データを制御装置５０に出力する。スキャナ装置４０で読み取られた画像データは、制御装置５０の制御によって表示手段１１に表示させることができる。また上述のようにプリンタ３０から印刷出力させることもできる。
スキャナ装置４０で画像を読み取る原稿としては、枚葉のシート状の原稿であってもよく、またブック形態の原稿（ブック原稿）であってもよい。本発明に係る実施形態では、シート状の原稿の場合はスキャナ装置４０の前面側から原稿を給紙して読み取らせることができ、ブック原稿の場合はスキャナ装置４０を前方に引き出した状態でその上部ユニットを開けることにより、ブック原稿の画像を読み取らせることができる。
【００３３】
また上記の例ではＰＣなどの制御装置５０によって、表示手段１１への画像表示処理やプリンタ３０への画像出力処理を行っているが、表示装置１０がこれら画像処理機能を備えた情報処理装置を内蔵するものであってもよい。またＰＣ等の制御装置５０との間で処理機能を分散した情報処理部を表示装置１０に備えたものであってもよい。
【００３４】
図５は、図１に示した表示システムを側面から見た状態を示す図で、図５（Ａ）はプリンタ３０、スキャナ装置４０、及び制御装置（コントローラ）５０を一対の脚部２１の間に収納した状態を示し、図５（Ｂ）はプリンタ３０と制御装置５０を表示システムの前方に引き出した状態を示すものである。
【００３５】
基台２２の下部には、基台キャスター２８ａが取り付けられていて、表示システム全体を移動可能になっている。そして転倒防止脚２３の上面に形成されている載置台２４には、プリンタ３０と制御装置５０とが置かれている。また台座２０の一対の脚部２１の内側にはレール部２１ａが設けられ、そのレール部２１ａと、スキャナ装置４０に取り付けられたスライド部材とが係合することで、スキャナ装置４０が脚部２１に対して引き出し自在に取り付けられている。
一対の脚部２１の間に収納されているスキャナ装置４０は、利用者によって前方に引き出すことができ、これにより利用者は、スキャナ装置４０の操作を容易に行うことができる。スキャナ装置４０が引き出された位置ではブック原稿の画像読み取り処理や、ジャム時の復帰処理を行うことができる。
【００３６】
また台座２０下部の転倒防止脚２３は、上記の固定ピン２６による固定を解除することにより、表示システムの前面側に引き出すことができる。台座２０には、転倒防止脚２３をスライド移動させるためのレール部２１ｂが設けられ、このレール部２１ｂのスライド機構によって転倒防止脚２３が台座２０から引き出し可能になっている。
【００３７】
図５（Ａ）の状態で基台２２の間に収納されている転倒防止脚２３は、利用者によって前方（図５（Ａ）の左方向）に引き出されることで、図５（Ｂ）に示すような状態となる。従ってこの状態では、プリンタ３０全体が脚部２１の前面側に引き出されるため、利用者は、プリンタ３０で印刷出力された用紙の取り出し作業や、プリンタでジャムが生じたときのジャム処理作業、あるいは現像剤カートリッジの交換作業などを容易に行うことができる。
【００３８】
本実施形態では、転倒防止脚２３を台座２０の脚部２１の間に収納した状態（図５（Ａ））では、転倒防止脚２３の前側先端は、表示装置１０の前面と前後方向において同じ位置にある。また図５の構成では、表示装置１０の前面はタッチパネル１２の表面になる。
また転倒防止脚２３の前側先端は、表示装置１０の前面と同じ位置のみならず、表示装置１０の前面よりも後側に位置していればよい。これにより、転倒防止脚２３を引き出さない状態では、表示システムの前側のスペースが邪魔になることがなく、利用者が利用しやすい表示システムを提供できる。
【００３９】
また図５（Ｂ）に示すような転倒防止脚２３を前方に引き出した状態では、転倒防止脚２３が表示装置１０の前面より前方に突出し、転倒防止効果をより向上させることができる。この位置では、上記のようにプリンタ３０で印刷出力された用紙の取り出し作業や、プリンタでジャムが生じたときのジャム処理作業、あるいは現像剤カートリッジの交換作業などを容易に行うことができる。
【００４０】
図６は、プリンタのメンテナンスを行う状態を説明するための図である。上記のように、基台２０に収納されている転倒防止脚２３を前面側に引き出すことにより、転倒防止脚２３の載置台２４上に置かれているプリンタ３０を表示装置１０の前面より前方に引き出すことができる。この位置では、図６に示すようにプリンタ３０のカバー３１を開けることができる。これにより用紙のジャム処理や現像剤カートリッジ３２の交換などを行うことができる。ここでは図６に示すように前面側にカバー３１が開くようにしておくことで、表示システムの利用者に邪魔にならずに、利用者が容易に作業を行うことができる。
【００４１】
図７は、転倒防止脚と基台の底部に設けられたキャスターの構成例を説明するための図で、図７（Ａ）は基台２２に収納された状態の転倒防止脚２３を正面から見た模式図、図７（Ｂ）は図７（Ａ）の収納状態を側面から見た模式図である。
上述したように、表示システムを移動可能とするために、基台２２の底部には基台キャスター２８ａが備えられている。また転倒防止脚２３の底部にも転倒防止脚キャスター２８ｂが備えられている。
【００４２】
ここで図７に示すように、転倒防止脚２３が基台２２に収納されている状態では、基台２２に備えられた基台キャスター２８ａのみが床面６０に接触している。そしてこの状態では、転倒防止脚キャスター２８ｂは、基台キャスター２８ａよりも若干上に位置し、床面６０に接触していない。つまりこの状態では表示システムは基台キャスター２８ａによって支持されていることになる。
【００４３】
図８は、転倒防止脚が基台から引き出されたときのキャスターの状態を説明するための図である。図７（Ｂ）の状態から、転倒防止脚２３を基台２２から引き出すことにより、図８に示す状態となる。この状態では、転倒防止脚２３の底部に設けた転倒防止脚キャスター２８ｂが基台キャスター２８ａと同じ高さに位置し、床面６０に接触する。これにより表示システムがより転倒しにくくなる。
転倒防止脚キャスター２８ｂが常に床面に接触していると、表示システムの重量が転倒防止脚キャスター２８ｂにも作用し、利用者が転倒防止脚２３を前方に引き出す際に負荷が大きくなってしまう。これに対して本実施形態では、転倒防止脚２３が基台２２に収納されている状態では、転倒防止脚キャスター２８ｂは床面６０に接触していないため、利用者は転倒防止脚キャスター２８ｂを少ない力で容易に引き出すことができる。
【００４４】
図９は、転倒防止脚をスライド可能に支持するためのレール部の構成例を説明するための模式図で、図９（Ａ）は転倒防止脚２３が基台２２に収納されているときの状態を示す図、図９（Ｂ）は、転倒防止脚２３を前方に引き出している途中の状態を示す図、図９（Ｃ）は転倒防止脚２３を完全に引き出した状態を示す図である。
上述のように、転倒防止脚２３が基台２２に収納されている状態では、転倒防止脚キャスター２８ｂは、床面６０より高くなっていて床面６０に接触しない。そして転倒防止脚２３を表示システムの前方（図９の左方向）に引き出して、図９（Ｃ）の状態になると、転倒防止脚キャスター２８ｂは床面６０に接触する。
【００４５】
上記のような構成を実現するために、本実施形態では、転倒防止脚２３を収納する基台２２に、転倒防止脚２３を案内するためのレール部２１ｂが設けられている。このレール部２１ｂは、表示システムの前後方向において後側の方が高く、前方に向かって低くなるように傾斜して取り付けられている。そして転倒防止脚側にもレール部２３ｂが設けられていて、このレール部２２ｂが基台２３側のレール部２１ｂの内部に収容されている。そしてこれらレール部２１ｂ，２３ｂからなるレール機構が、転倒防止脚２３の引き出し／収容動作に応じて伸縮できるようになっている。ここでは基台２２側のレール部２１ｂが転倒防止脚２３側のレール部２３ｂの内部に収容される構成であってもよい。
さらに転倒防止脚２３には、スライド移動を容易にするためのコロ２３ｃが設けられている。これにより転倒防止脚２３は基台２２に対するスライド移動が容易になっている。
【００４６】
図１０は、転倒防止脚の前側先端部の内部構成例を説明するための図で、図１０（Ａ）は転倒防止脚２３が基台２２に収納されているときの状態を示す模式図、図１０（Ｂ）は転倒防止脚を基台２２から引き出すときの状態を示す模式図である。
転倒防止脚２３には解除レバー２３ａが設けられ、利用者は、この解除レバー２３ａに手を掛けて引っ張ることにより転倒防止脚２３を前方に引き出すことができる。
【００４７】
図１０に示すように、解除レバー２３ａは、支持軸２３１によって転倒防止脚２３に取り付けられ、支持軸２３１を回動軸として回動自在になっている。そして支持軸２３１で支持された解除レバー２３ａの手前側には、利用者が手を掛ける部分である把手部２３４が設けられている。また解除レバー２３ａの反対側の先端部には、レール部２１ｂと係合するための係合部２３５が設けられている。そして係合部２３５と支持軸２３１の間の部分には、ばね２３２が取り付けられていて、転倒防止脚２３の上部壁と解除レバー２３ａとを接続している。このばね２３２によって、係合部２３５が上に向かって付勢されている。
【００４８】
一方、基台２２に取り付けられているレール部２１ｂの前側の端部には、ノッチ２１１が設けられている。そして図１０（Ａ）に示すような転倒防止脚２３の収納状態では、解除レバー２３ａの係合部２３５がレール部２１ｂのノッチ２１１に係合している。このときばね２３２によって、係合部２３５とノッチ２１１との係合が維持される方向に付勢力が働いている。
【００４９】
利用者が転倒防止脚２３を前方に引き出す場合、解除レバー２３ａの把手部２３４に手を掛けて上方に引き上げることにより解除レバー２３ａが回動し、係合部２３５とノッチ２１１との係合が解除される。これにより転倒防止脚２３を前方に引き出すことができるようになる。
【００５０】
ここで本発明の構成では、プリンタ３０、スキャナ装置４０、制御装置５０などの電子機器のうち、少なくとも１つの電子機器が前方に引き出されたときには、少なくとも他の１つの電子機器を前方に引き出すことができないように規制する規制手段が備えられている。規制手段を実現する構成の一例として、転倒防止脚２３とレール部２１ｂとをロックして固定するためのロック機構７０が設けられる。
【００５１】
本例では、転倒防止脚２３の上面に形成された載置台２４には、プリンタ３０及び制御装置５０が置かれている。またスキャナ装置４０は、プリンタ３０及び制御装置５０とは別に引き出し可能に台座２０に設置されている。そして転倒防止脚２３を前方に引き出すことにより、プリンタ３０と制御装置５０とが前方に引き出される。
台座２０には、解除レバー２３ａの操作を検知する解除レバー検知センサ２３３が設けられ、解除レバー２３ａが操作されて把手部２３４が上方に引き上げられた場合にその操作を検知する。そしてその検知結果に従って、スキャナ装置４０の引き出しができないように、スキャナ装置４０をロックする。このロック機構の具体例は後述する。
【００５２】
一方、スキャナ装置４０側にもその引き出し動作を検知するスキャナ検知センサが設けられていて、このスキャナ検知センサがスキャナ装置の引き出し動作を検知したときには、図１０に示すロック機構７０が動作し、転倒防止脚２３をレール部２１ｂにロックする。レール部２１ｂは、基台２２側に固定されているため、転倒防止脚２３の引き出しが規制される。
【００５３】
このように少なくとも１つの電子機器が前方に引き出されたときに、少なくとも他の１つの電子機器の引き出しを規制することにより、台座２０の荷重の偏りを防止することができ、台座２０の安定性を確保することができる。
【００５４】
図１１は、スキャナ装置をロックするための構成を説明するための図で、スキャナ装置４０が台座２０の脚部２１の間に収納されているときの状態を示すものである。ここで図１１（Ａ）は、引き出し動作検知センサとロック機構の配置例を説明するための模式図で、図１１（Ｂ）は、図１１（Ａ）のスキャナ装置の取り付け部の要部を示す図である。
スキャナ装置４０は、台座２０の脚部に設けられたレール部２１ａに係合してスライド動作を可能とするためのレール部４０ａを備えている。
【００５５】
ここで台座２０の脚部２１には、スキャナ装置４０の引き出し動作を検知するスキャナ検知センサ２１２が設けられている。スキャナ検知センサ２１２は、スキャナ装置４０側に備えられて、自身の引き出し動作を検知するような構成であってもよい。
そしてスキャナ検知センサ２１２によって、スキャナ装置４０が前方に引き出されたことが検知されると、上記図１０に示した転倒防止脚２３のロック機構７０が動作し、転倒防止脚２３の引き出しが規制される。
【００５６】
一方、台座２０の脚部２１には、スキャナ装置４０の引き出しを規制するためのロック機構７１が設けられている。転倒防止脚２３に備えられた解除レバー検知センサ２３３により、解除レバー２３ａの引き上げ操作が検知されると、スキャナ装置４０では、ロック機構７１が動作し、スキャナ装置４０の前方への引き出しが規制される。ここではロック機構７１は脚部２１に固定され、スキャナ装置４０に取り付けられているレール部４０ａをロックすることによって、転倒防止脚２３の引き出しを規制する。
またこの他、スキャナ装置４０側にロック機構７１を設けて、台座２０の脚部２１に取り付けられたレール部２１ａをロックするように構成してもよい。
【００５７】
図１２は、台座に備えられるロック機構の構成例を説明するための模式図で、図１２（Ａ）はロック機構が非動作の状態で電子機器の引き出しが規制されていない状態を示す図、図１２（Ｂ）はロック機構が動作して電子機器の引き出しが規制された状態を示す図である。図１２に示すロック機構は、上記転倒防止脚２３に設けられたロック機構７０、及びスキャナ装置４０をロックするために設けられたロック機構７１の両方に適用可能である。
【００５８】
本例のロック機構は、回動軸７３によって回動可能に軸支されたロックレバー７２と、ロックレバー７２に回動動作を生じさせるソレノイド７４と、ロックレバー７２に付勢力を与えるばね部材７６とを有している。
ソレノイド７４のプランジャ７４ａは、ロックレバー７２の一方の端部に接続され、その直線変位動作に応じてロックレバー７２が回動するようになっている。またロックレバー７２は、ソレノイド７４が接続された端部とは反対側の端部が屈曲され、その先端が、スキャナ装置４０をスライド動作させるためのレール部４０ａ、または転倒防止脚２３をスライド動作させるためのレール部２１ｂに設けられたノッチに係合するようになっている。
また上記ロックレバー７２の屈曲部には、ロックレバー７２の係合を解除する方向に付勢力を付与するためのばね部材７６が取り付けられている。ばね部材７６は、その一方の端部がロックレバー７２の屈曲部近傍に取り付けられ、他方の端部が台座２０の壁部などの固定部７５に取り付けられている。
【００５９】
このような構成により、ソレノイドを電気的に制御することでロックレバー７２を回動させることができ、これによりロックレバー７２と、レール部４０ａまたはレール部２１ａとの係合・解除を制御することができる。従ってこのロック機構によって、スキャナ装置４０の引き出しの規制及びその解除と、転倒防止脚２３（つまりプリンタ３０及び制御装置５０）の引き出しの規制及びその解除を自在に制御できる。
【００６０】
図１３は、電子機器の引き出しを規制する規制手段の他の構成例を説明するための模式図で、図１３（Ａ）は、スキャナ装置４０、プリンタ３０及び制御装置５０が台座２０に収納されているときの状態を示す図、図１３（Ｂ）は、プリンタ３０及び制御装置５０が置かれた転倒防止脚２３が引き出されたときの状態を示す図である。
本例では、台座２０には、第１ストッパガイド３０１が垂直方向に変位可能に設けられている。また転倒防止脚２３には第２ストッパガイド２０１が設けられ、転倒防止脚２３と一体的に変位するようになっている。一方スキャナ装置４０にはストッパ４０１が設けられていて、スキャナ装置４０と一体的に変位するようになっている。
【００６１】
図１３（Ａ）の収納状態では、第１ストッパガイド３０１は、その垂直方向の変位可能な範囲において下端に位置している。そして転倒防止脚２３に設けられた第２ストッパガイド２０１の前側先端部２０１ａが、第１ストッパガイド３０１の下端の背面側に当接しているかもしくはその近傍に位置している。この前側先端部２０１ａは、テーパ形状に加工されていてその先端が鋭角になっている。
【００６２】
このような構成で、転倒防止脚２３を前方に引き出すと、転倒防止脚２３に一体的に設けられた第２ストッパガイド２０１の前側先端部２０１ａが、第１ストッパガイド３０１の下側にもぐりこんでいく。このときに前側先端部２０１ａはテーパ形状に加工されているために、第１ストッパガイド３０１を上方向に押し上げながら、第１ストッパガイド３０１の下側を前方に進行していく。
【００６３】
この動作により第１ストッパガイド３０１は上方に変位し、図１３（Ｂ）に示すような状態となる。図１３（Ａ）の収納状態では、第１ストッパガイド３０１の上端と、スキャナ装置の底部との間には間隙ｔが存在していたが、図１３（Ｂ）の状態ではこの間隙ｔがほとんどない状態となる。また間隙ｔがあっても、ストッパ４０１が通過できない間隙となっている。これにより、スキャナ装置４０を引きだそうとしたときに、ストッパ４０１が第１ストッパガイド３０１の背面側に当接し、それ以上前方にストッパ４０１を引き出すことができなくなる。従ってストッパ４０１と一体的に形成されているスキャナ装置４０の引き出しを規制することができる。
【００６４】
上記のような構成により、プリンタ３０、スキャナ装置４０、制御装置５０などの電子機器のうち、プリンタ３０と制御装置５０を前方に引き出したときには、他の１つの電子機器であるスキャナ装置４０を前方に引き出すことができないように規制することができる。
【００６５】
図１４は、図１３に示す構成でスキャナ装置を引き出したときの状態を示す図である。図１３（Ａ）の電子機器の収納状態において、スキャナ装置４０を先に前方に引き出した場合、スキャナ装置４０と一体的に変位するストッパ４０１が、第１ストッパガイド３０１の上端とスキャナ装置４０の底部との間に形成された間隙ｔを通過する。そして図１４に示すように、スキャナ装置４０が前方に引き出された位置では、第１ストッパガイド３０１の上端が、ストッパ４０１の底面に当接し、もしくは底面の近傍に位置するため、第１ストッパガイド３０１の上方への変位が規制される。
【００６６】
この状態では、第２ストッパガイド２０１が第１ストッパガイド３０１の下方を通過することができず、転倒防止脚２３の前方への引き出しを行うことができなくなる。
つまり上記のような構成により、プリンタ３０、スキャナ装置４０、制御装置５０などの電子機器のうち、スキャナ装置４０を前方に引き出したときには、他の電子機器であるプリンタ３０と制御装置５０とを前方に引き出すことができないように規制することができる。
【００６７】
図１５は、図１３に示す構成でスキャナ装置と転倒防止脚との両方を引き出そうとしたときの状態を示す図である。
図１３（Ａ）の電子機器の収納状態において、プリンタ３０及び制御装置５０が置かれた転倒防止脚２３と、スキャナ装置４０とを同時に引き出そうとした場合には、いずれの電子機器の引き出しも行うことができなくなる。
ここでは、転倒防止脚２３の引き出し動作に応じて、転倒防止脚２３に備えられた第２ストッパガイド２０１が第１ストッパガイド３０１に作用して、第１ストッパガイド３０１を押し上げようとする。またこのときに、スキャナ装置４０に備えられたストッパ４０１が第１ストッパガイド３０１に作用して、第１ストッパガイド３０１の上側を通過しようとする。
【００６８】
そしてこれらがほぼ同時に行われるため、第１ストッパガイド３０１は、第２ストッパガイド２０１とストッパ４０１とのいずれも通過させることなく上下の移動範囲の途中の位置に止まってしまうことになる。
このような構成により、転倒防止脚２３と、スキャナ装置４０とを同時に引き出そうとした場合には、いずれも引き出すことができなくなる。つまりプリンタ３０、スキャナ装置４０、制御装置５０などの電子機器のうち、全ての電子機器を同時に前方に引き出そうとする動作が行われたときには、全ての電子機器を引き出すことができないように規制することができる。
【図面の簡単な説明】
【００６９】
【図１】本発明による表示システムの一実施形態を示す図である。
【図２】図１に示す表示システムにおいてプリンタやスキャナ装置などの電子機器を組み込んでいない状態を示す図である。
【図３】台座に備えられた転倒防止脚の機能を説明するための図である。
【図４】本発明に係る表示システムの構成例を説明するためのブロック図である。
【図５】図１に示した表示システムを側面から見た状態を示す図である。
【図６】プリンタのメンテナンスを行う状態を説明するための図である。
【図７】転倒防止脚と基台の底部に設けられたキャスターの構成例を説明するための図である。
【図８】転倒防止脚が基台から引き出されたときのキャスターの状態を説明するための図である。
【図９】転倒防止脚をスライド可能に支持するためのレール部の構成例を説明するための模式図である。
【図１０】転倒防止脚の前側先端部の内部構成例を説明するための図である。
【図１１】スキャナ装置をロックするための構成を説明するための図である。
【図１２】台座に備えられるロック機構の構成例を説明するための模式図である。
【図１３】電子機器の引き出しを規制する規制手段の他の構成例を説明するための模式図である。
【図１４】図１３に示す構成でスキャナ装置を引き出したときの状態を示す図である。
【図１５】図１３に示す構成でスキャナ装置と転倒防止脚との両方を引き出そうとしたときの状態を示す図である。
【符号の説明】
【００７０】
１０…表示装置、１１…表示手段、１２…タッチパネル、２０…台座、２１…脚部、２１ａ，２１ｂ…レール部、２２…基台、２３…転倒防止脚、２３ａ…解除レバー、２３ｂ…レール部、２３ｃ…コロ、２４…載置台、２５…固定用留め板、２６…固定ピン、２７…固定用穴、２８ａ…基台キャスター、２８ｂ…転倒防止脚キャスター、３０…プリンタ、３１…カバー、３２…現像剤カートリッジ、４０…スキャナ装置、４０ａ…レール部、４１，４２…開口部、５０…制御装置、６０…床面、７０，７１…ロック機構、７２…ロックレバー、７３…回動軸、７４…ソレノイド、７４ａ…プランジャ、７５…固定部、７６…ばね部材、２０１…第２ストッパガイド、２０１ａ…前側先端部、２１１…ノッチ、２１２…スキャナ検知センサ、２３１…支持軸、２３２…ばね、２３３…解除レバー検知センサ、２３４…把手部、２３５…係合部、３０１…第１ストッパガイド、４０１…ストッパ。
【図１】
2009036909.tif 000003
【図２】
2009036909.tif 000004
【図３】
2009036909.tif 000005
【図４】
2009036909.tif 000006
【図５】
2009036909.tif 000007
【図６】
2009036909.tif 000008
【図７】
2009036909.tif 000009
【図８】
2009036909.tif 000010
【図９】
2009036909.tif 000011
【図１０】
2009036909.tif 000012
【図１１】
2009036909.tif 000013
【図１２】
2009036909.tif 000014
【図１３】
2009036909.tif 000015
【図１４】
2009036909.tif 000016
【図１５】
2009036909.tif 000017